(57)【要約】【課題】マイナスイオン発生機能を備えた静電霧化装置を得る。【解決手段】水保持部６から水を吸い上げる吸水体４と、マイナスイオンを発生させるためのイオン化針５と、上記水保持部の水と上記イオン化針とに負電圧を同時に印加して上記吸水体で静電霧化を行わせるとともに上記イオン化針にコロナ放電を生じさせる印加電極２と、該印加電極に負電圧を印加する高電圧発生源とを備える。【選択図】図１
2008279452.tif 000002
【特許請求の範囲】
【請求項１】
水保持部から水を吸い上げる吸水体と、マイナスイオンを発生させるためのイオン化針と、上記水保持部の水と上記イオン化針とに負電圧を同時に印加して上記吸水体で静電霧化を行わせるとともに上記イオン化針にコロナ放電を生じさせる印加電極と、該印加電極に負電圧を印加する高電圧発生源とを備えていることを特徴とするマイナスイオン発生機能付き静電霧化装置。
【請求項２】
接地されているとともに上記吸水体と上記イオン化針の両者に対向している対向電極を備えていることを特徴とする請求項１記載のマイナスイオン発生機能付きの静電霧化装置。
【請求項３】
吸水体の針状霧化部と対向電極との間の距離よりもイオン化針と対向電極との間の距離の方が長くされていることを特徴とする請求項２記載のマイナスイオン発生機能付き静電霧化装置。
【発明の詳細な説明】
【技術分野】
【０００１】
本発明はマイナスイオンの発生機能を備えた静電霧化装置に関するものである。
【背景技術】
【０００２】
ミストを発生させる霧化装置として、特許第３２６０１５０号公報（特許文献１）に示されているような静電霧化装置がある。これは図７に示すように、水Ｗを収容した水タンク６と、水タンク６内の水を毛細管現象で吸い上げて先端の針状霧化部に導く吸水体４と、吸水体４の針状霧化部に対向する対向電極３と、水タンク６内の水Ｗもしくは吸水体４で保持されている水に印加電極２を介して電圧を印加する高圧発生回路１５とからなり、対向電極３との間の放電箇所となる吸水体４の針状霧化部に存在する水にレイリー分裂を起こさせて霧化することでミストＭを発生させるものである。
【０００３】
また、マイナスイオンを発生させるマイナスイオン発生装置も良く知られている。これは対向電極と対向する針状電極に高圧の負電圧を印加させてコロナ放電を行わせることでマイナスイオンを発生させるものである。
静電霧化装置もマイナスイオン発生装置も電気的な構成はほぼ同じであるが、針状電極に水を保持させることはできない上に、静電霧化の方がマイナスイオン発生よりも大きな電圧が必要でマイナスイオン発生装置に静電霧化用の高電圧を印加した時には人体に悪影響を及ぼすオゾンが大量に発生することから、単一の構成で静電霧化とマイナスイオン発生の両機能を持たせることはできないといったことがあるために、これまでマイナスイオン発生機能を備えた静電霧化装置は提供されていない。
【特許文献１】特許第３２６０１５０号公報
【発明の開示】
【発明が解決しようとする課題】
【０００４】
本発明は上記の従来の問題点に鑑みて発明したものであって、マイナスイオン発生機能を備えた静電霧化装置を提供することを課題とするものである。
【課題を解決するための手段】
【０００５】
上記課題を解決するために本発明は、水保持部から水を吸い上げる吸水体と、マイナスイオンを発生させるためのイオン化針と、上記水保持部の水と上記イオン化針とに負電圧を同時に印加して上記吸水体で静電霧化を行わせるとともに上記イオン化針にコロナ放電を生じさせる印加電極と、該印加電極に負電圧を印加する高電圧発生源とを備えていることに特徴を有している。
【０００６】
接地されているとともに上記吸水体と上記イオン化針の両者に対向している対向電極を備えていることが好ましく、この場合、吸水体の針状霧化部と対向電極との間の距離よりもイオン化針と対向電極との間の距離の方が長くされていると、マイナスイオン発生と静電霧化とで同電圧の負電圧を用いることができる。
【発明の効果】
【０００７】
本発明に係るマイナスイオン発生機能付き静電霧化装置においては、水保持部の水と上記イオン化針とに負電圧を同時に印加して上記吸水体で静電霧化を行わせるとともに上記イオン化針にコロナ放電を生じさせるために、マイナスイオン発生機能を備えた静電霧化装置とすることができる。
【０００８】
そして、接地されているとともに上記吸水体と上記イオン化針の両者に対向している対向電極を備えたものとすれば、対向電極を静電霧化とマイナスイオン発生とで共用して、少ない部品点数でマイナスイオン発生機能も備えたものとすることができ、さらに吸水体の針状霧化部と対向電極との間の距離よりもイオン化針と対向電極との間の距離の方が長くしていると、マイナスイオン発生と静電霧化とで同電圧の負電圧を用いることができるために、使用する高電圧発生回路も共用することができ、しかもオゾンの発生のおそれを無くすことができる。
【発明を実施するための最良の形態】
【０００９】
以下本発明を実施の形態の一例に基づいて詳述すると、図示例の静電霧化装置１は霧化させることになる水を収容した水タンク６を下部に備えたもので、円筒状で且つ周面に通風孔１２が開口するホルダー１０と、該ホルダー１０の上部に配された対向電極３と、ホルダー１０の下部に嵌め込まれて水に対する電圧印加を担う印加電極２と、この印加電極２によって保持されている複数本の棒状吸水体４と、同じく印加電極２によって保持されているイオン化針５とで構成されており、カップ状に形成されて水保持部を構成する上記水タンク６は、その上端開口縁の外面の突起６０が上記ホルダー１０の下部に装着されている印加電極２の外周フランジ部２１に設けられている係合凹所２９にバヨネット係合することで取り付けられている。
【００１０】
対向電極３と印加電極２は共にカーボンのような導電材を混入した合成樹脂やＳＵＳのような金属で形成されることで導電性を有しているもので、ホルダー１０の上部に被せられる対向電極３はその外周面に形成された接続用突部３０の外面に接触する接地用接触板７１を通じて接地される。ホルダー１０の下部内に嵌め込み固定されてホルダー１０内面のリブ１１で押さえ固定されている印加電極２も同じく外周面に形成された接続用突部２０の外面に接触する接触板７２を介して高電圧発生源に接続される。
【００１１】
前記棒状吸水体４は、多孔質セラミックで形成されてその上端が針状に尖った針状霧化部となっているもので、複数本、図示例では６本の吸水体４が印加電極２に取り付けられている。これら吸水体４は印加電極２の中央に配されたイオン化針５を中心とする同心円上に等間隔で配置されて、上部が印加電極２よりも上方に突出し、下部は下方に突出して上記水タンク６内に入れられた水と接触する。
【００１２】
図中２２は印加電極２から下方に突出している円筒状のスカートで、上記複数本の吸水体４の外側を囲んでいるとともに、その下端は吸水体４の下端よりも下方に位置し、下端開口には格子状保護カバー１７が被せられている。印加電極２における該スカート２２は、水タンク６内に入れられた水と接触することで水に高電圧を印加すると同時に、上記格子状保護カバー１７と共にセラミックで形成されている吸水体４の保護を行うものである。
【００１３】
ここで、印加電極２は、水タンク６が連結された時、水タンク６の上面開口を略密閉してしまうことで、傾いた時にも水タンク６内の水が漏れ出ることがないようにしており、この関係で上記スカート２２の周方向の一部にはスカート２２の上下方向全長にわたるスリット２３を設けて、水を入れた水タンク６の装着時に上記スリット２３によってスカート２２で囲まれた空間内の空気を抜いてスカート２２内への水の流入を許すようにしている。
【００１４】
ホルダー１０の上面開口を閉じるように装着された対向電極３は、図３に示すように中央に開口部３１を有するとともに、この開口部３１の縁は上方から見た時、前記複数本の吸水体４の上端の針状部を中心とする複数の同一径の円弧Ｒを他の円弧ｒで滑らかにつないだものとなっている。対向電極３を接地し、印加電極２に高電圧発生源を接続するとともに、吸水体４が毛細管現象で水を吸い上げている時、吸水体４の上端の針状霧化部が印加電極２側の実質的な電極として機能すると同時に、対向電極３の上記円弧Ｒが実質的な電極として機能するものである。なお、上記開口部３１には格子状保護カバー１６が被せられることで、開口部３１を通じてイオン化針５や吸水体４に手指などが接触することが防止されている。
【００１５】
今、水を入れた水タンク６を装着して、印加電極２のスカート２２に水を接触させると同時に、吸水体４に毛細管現象で水を吸い上げさせ、さらに対向電極３を接地するとともに印加電極２に高電圧発生源を接続して、印加電極２に負電圧を印加した時、この電圧が水にレイリー分裂を起こさせることができる高電圧であれば、吸水体４の上端の針状霧化部に達した水はここでレイリー分裂を起こしてナノメータサイズの粒子径の霧化を生じさせる静電霧化がなされる。
【００１６】
また、この静電霧化装置１では印加電極２によって保持されているイオン化針５にも負電圧が同時に印加され、対向電極３との間でのコロナ放電によってマイナスイオンの発生もなされる。この時、電極間の距離が同じであればマイナスイオン発生のために必要な電圧よりも静電霧化に必要な電圧の方が高いことから、ここでは吸水体４の上端の針状部から対向電極３までの距離Ｌ１よりも、イオン化針５から対向電極３までの距離Ｌ２をかなり長くすることで静電霧化の方を生じやすくしている。もっとも、水タンク６内の水が無くなるとともに吸水体４で保持している水も霧化されてなくなれば、上記マイナスイオンの発生のみが継続して行われる。
【００１７】
図４に他例を示す。これは対向電極３の中央に配したイオン化針５の下端を下方に延長して水タンク６内の水と接触するようにしたものである。印加電極２とイオン化針５との間の電気的接触度（抵抗値）は製造上の理由にばらつきが生じるが、印加電極２で負電圧が印加される水タンク６内の水にイオン化針５も接触させることで、イオン化針５に安定した負電圧を供給することができるものである。図中１９はホルダー１０に両端部が回動自在に取り付けられた取手である。
【００１８】
図５及び図６は上記静電霧化装置１を備えた空気清浄機７を示している。モータ８３に寄って駆動されるファン８２と風洞７０とからなる送風機を備えて、前面の吸い込み口７６から吸い込んだ空気をフィルター部８１で濾過した後、吹き出し口７７から外部に放出するのであるが、この空気清浄機７における吸い込み口７６から吹き出し口７７に至るまでの空気流路のうち、上記送風機における風洞７０内で且つ吹き出し口７７の近傍位置に上記静電霧化装置１が配設されている。
【００１９】
静電霧化で生じたナノメータサイズの粒子径のミストであるナノサイズミストは拡散性が元々高いが、送風機による送風に乗って広がるためにさらに拡散性が良好になっているものであり、このためにナノサイズミストが有している活性種によるところの室内空気中の臭気成分や室内壁面への付着物についての脱臭機能を有効に利用することができる。特に図示例のものでは、風洞７０の一部に設けた収納凹所７３内に静電霧化装置１を配置した時、接触板７１，７２と前記接続用突部２０，３０との接触を可能とするために収納凹所７３の壁面に明けた開口部７４（図１参照）と静電霧化装置１のホルダー１０における通風孔１２を通じて、静電霧化装置１の内部に一部の風が流入するために、霧化が促進されて霧化量が増大するとともにミストが風に乗って飛散しやすくなっている。
【００２０】
また、風洞７０内に静電霧化装置１が配されているものの、静電霧化装置１付近を通過する空気はフィルター部８１で濾過された清浄な空気であり、このために静電霧化装置１が汚れることはなく、上述のように一部の風が静電濾過装置１内に入るものの、汚れが原因で静電霧化が生じにくくなることが殆どないものである。
【図面の簡単な説明】
【００２１】
【図１】本発明の実施の形態の一例の断面図である。
【図２】同上の断面図である。
【図３】同上の格子状カバーを外した状態の平面図、
【図４】同上の他例の断面図である。
【図５】本発明に係る空気清浄機の一例の縦断面図である。
【図６】同上の横断面図である。
【図７】静電霧化装置の概略を示す説明図である。
【符号の説明】
【００２２】
１  静電霧化装置
２  印加電極
３  対向電極
４  吸水体
５  イオン化針
６  水タンク
【図１】
2008279452.tif 000003
【図２】
2008279452.tif 000004
【図３】
2008279452.tif 000005
【図４】
2008279452.tif 000006
【図５】
2008279452.tif 000007
【図６】
2008279452.tif 000008
【図７】
2008279452.tif 000009